(57)【特許請求の範囲】
【請求項１】
座部（１４）を支持する基部構造体（１２）と、
可傾式の背もたれ（１６）と、
基部構造体（１２）または座部（１４）に背もたれ（１６）を連結するとともに、休止位置と、使用者による後方への押圧下にて後方に傾斜した位置との間で背もたれ（１６）が移動することを許容する少なくとも１つのジョイント（２６）と、を備える椅子であって、
前記ジョイント（２６）は、伸縮自在に一体的に連結される円弧状の第１および第２の湾曲部材（２８，３０）を含み、同第１および第２の湾曲部材（２８，３０）は、基部構造体（１２）または座部（１４）、並びに背もたれ（１６）にそれぞれ連結され、
前記基部構造体（１２）は、２つの側部部材（５２）を含み、これら側部部材（５２）の各々から前脚（１８）および後脚（２０）が延びており、
前記背もたれ（１６）は、支持面（２２）および管状の２つの側部直立部（２４）を含み、同２つの側部直立部（２４）はそれぞれ、前記ジョイント（２６）としての揺動ジョイント（２６）によって基部構造体（１２）に連結され、
各揺動ジョイント（２６）は、前記第１および第２の湾曲部材（２８，３０）としての内側湾曲部材（２８）および外側湾曲部材（３０）を含み、これら内側および外側湾曲部材（２８，３０）は、円弧形状の共通の長手軸線（Ａ）を有し、２つの揺動ジョイントの円弧の中心（Ｃ）は、背もたれ（１６）の傾動軸線を形成する水平軸線上に位置し、
各揺動ジョイント（２６）の内側湾曲部材（２８）は、円弧部（６０）と基部構造体（１２）の対応する側部部材（５２）に固定される締結部（６２）とを有する湾曲金属バー（５８）を含み、内側湾曲部材（２８）はそれぞれ、湾曲金属バー（５８）の円弧部（６０）を覆うプラスチック材料製の弧状のスリーブ（６６）を含み、同弧状のスリーブ（６６）は、断面円形状のガイド外側面を有することを特徴とする椅子。
【請求項２】
各揺動ジョイント（２６）の外側湾曲部材（３０）は、締結部（７０）、同締結部（７０）の下端から延びる直線的な管状部（７２）、および同直線的な管状部（７２）の下端から延びる弧状の管状部（７４）を含み、
各外側湾曲部材（３０）の締結部（７０）は、背もたれ（１６）の対応する側部直立部（２４）の内部に挿入されて固定され、各外側湾曲部材（２８）の弧状の管状部（７４）は、対応する前記弧状のスリーブ（６６）の外側面に摺動して案内されるように連結される断面円形状の内側面を有することを特徴とする請求項１に記載の椅子。
【請求項３】
前記外側湾曲部材（３０）の直線的な管状部（７２）内には螺旋状の圧縮バネ（４８）が収容され、同螺旋状の圧縮バネ（４８）は、直線的な管状部（７２）に挿入されるバネ支持部（７６）が挿入される上端、および内側湾曲部材（２８）の上端に対して載置される下端を有することを特徴とする請求項２に記載の椅子。
【請求項４】
前記各ジョイント（２６）は予負荷部材（７８）を含み、同予負荷部材（７８）は、背もたれ（１６）の休止位置において、前記圧縮バネ（４８）がわずかに圧縮される位置に外側湾曲部材（３０）を保持し、予負荷部材（７８）は内側湾曲部材（２８）に関節接合される第１の端部を有し、予負荷部材（７８）は、その第２の端部に、外側湾曲部材（３０）の外側突出部（８２）が係合するスロット（８０）を有し、背もたれ（１６）の最大後方傾斜位置において、前記突出部（８２）は、スロット（８０）の前側端部に配置されて、背もたれの後方へのさらなる傾動を防止することを特徴とする請求項３に記載の椅子。
【発明の詳細な説明】
【技術分野】
【０００１】
本発明は可傾式の背もたれを備えた椅子に関する。
より詳細には、本発明は、座部を支持する基部構造体と、２つの側部ジョイントによって基部構造体に連結される背もたれとを備える椅子に関し、２つの側部ジョイントにより、背もたれは、休止位置と、使用者による後方への押圧下にて後方に傾斜した位置との間で移動自在である。
【背景技術】
【０００２】
現在、使用者による後方への押圧によって背もたれを後方に傾動させることを可能にする技術として、いくつかの解決策が周知である。
例えば、同一出願人による特許文献１は、背もたれを後方に傾動させるべく弾性を発揮する連結部材によって基部構造体に連結される可傾式の背もたれを備えた椅子を開示する。
【０００３】
別の周知の解決策は、特許文献２に開示され、背もたれが２つの弾性装置によって基部構造体に連結され、各弾性装置は、弾性部材によって形成され、屈曲されることにより変形可能であり、複数の積層された部分内に挿入される。
【０００４】
周知の解決策の課題のうちの１つは、後方への傾動時における背もたれの回動の中心が、使用者の背中の回動の中心と一致しないことにある。すなわち、背もたれの後方への傾動時に、背もたれの支持面と使用者の背中との間に相対移動が生じる。この相対移動は衣服を引き出す原因となる。
【０００５】
例えば、使用者がズボン内に入れられたシャツを着用している場合に、周知のタイプの椅子においては、背もたれの後方への傾動に伴い、ズボンからシャツが引き出される。
【先行技術文献】
【特許文献】
【０００６】
【特許文献１】欧州特許出願公開第１５５７１１５号明細書
【特許文献２】欧州特許出願公開第２１８３９９７号明細書
【特許文献３】米国特許第２３０７６２１号明細書
【特許文献４】米国特許第２４３０６０４号明細書
【特許文献５】独国特許出願公開第１７７９１４１号明細書
【発明の概要】
【発明が解決しようとする課題】
【０００７】
本発明は、簡素且つ安価な背もたれ傾動機構を装備した、可傾式の背もたれを備える椅子を提供することを課題とし、これにより上記課題は解決可能である。
【課題を解決するための手段】
【０００８】
上記の課題を解決すべく、本発明に従い、座部を支持する基部構造体と、可傾式の背もたれと、基部構造体または座部に背もたれを連結するとともに、休止位置と、使用者による後方への押圧下にて後方に傾斜した位置との間で背もたれが移動することを許容する少なくとも１つのジョイントと、を備える椅子が提供される。前記ジョイントは、伸縮自在に一体的に連結される円弧状の第１および第２の湾曲部材を含み、同第１および第２の湾曲部材は、基部構造体または座部、並びに背もたれにそれぞれ連結される。
本発明の一態様において、椅子は、座部を支持する基部構造体と、可傾式の背もたれと、基部構造体または座部に背もたれを連結するとともに、休止位置と、使用者による後方への押圧下にて後方に傾斜した位置との間で背もたれが移動することを許容する少なくとも１つのジョイントと、を備える。ジョイントは、伸縮自在に一体的に連結される円弧状の第１および第２の湾曲部材を含み、同第１および第２の湾曲部材は、基部構造体または座部、並びに背もたれにそれぞれ連結される。基部構造体は、２つの側部部材を含み、これら側部部材の各々から前脚および後脚が延びている。背もたれは、支持面および管状の２つの側部直立部を含み、同２つの側部直立部はそれぞれ、ジョイントとしての揺動ジョイントによって基部構造体に連結される。各揺動ジョイントは、第１および第２の湾曲部材としての内側湾曲部材および外側湾曲部材を含み、これら内側および外側湾曲部材は、円弧形状の共通の長手軸線を有し、２つの揺動ジョイントの円弧の中心は、背もたれの傾動軸線を形成する水平軸線上に位置する。各揺動ジョイントの内側湾曲部材は、円弧部と基部構造体の対応する側部部材に固定される締結部とを有する湾曲金属バーを含み、内側湾曲部材はそれぞれ、湾曲金属バーの円弧部を覆うプラスチック材料製の弧状のスリーブを含み、同弧状のスリーブは、断面円形状のガイド外側面を有する。
【０００９】
請求の範囲は、本発明に関して行われる教示の必須の部分をなす。
【図面の簡単な説明】
【００１０】
【図１】本発明における椅子を示す斜視図。
【図２】図１の椅子を示す側面図。
【図３】休止位置における図２の矢印ＩＩＩによって示される背もたれの揺動ジョイントの軸方向断面図。
【図４】最大後方傾斜位置における図２の矢印ＩＩＩによって示される背もたれの揺動ジョイントの軸方向断面図。
【図５】図３および図４に示す揺動ジョイントを透過的に示す斜視図。
【図６】図５に示す揺動ジョイントを示す斜視部分分解図。
【図７】図６の矢印ＶＩＩによって示される部分を示す斜視分解図。
【図８】本発明の第２の実施形態における揺動ジョイントを示す図３に対応する軸方向断面図。
【図９】本発明の第２の実施形態における揺動ジョイントを示す図４に対応する軸方向断面図。
【図１０】図８および図９の揺動ジョイントを示す側面分解断面図。
【図１１】本発明の第２の実施形態における椅子を示す斜視図。
【図１２】図１１の線ＸＩＩ−ＸＩＩに沿った断面を示す図。
【図１３】本発明の第３の実施形態における椅子を示す斜視図。
【図１４】明瞭に示すべくいくつかの構成要素を取り払った、図１３の矢印ＸＩＶによって示される部分を示す斜視図。
【図１５】揺動ジョイントのうちの１つを透過的に示す、図１４に類似の斜視図。
【図１６】揺動ジョイントのいくつかの構成要素を取り払って示す、図１４に対応する斜視図。
【図１７】揺動ジョイントのいくつかの構成要素を取り払って示す、図１４に対応する斜視図。
【発明を実施するための形態】
【００１１】
添付の図面を参照して本発明の実施形態を説明するが、これらは一例に過ぎず、本発明はこれらの実施形態に限定されるものではない。
図１および図２に、基部構造体１２、座部１４、および可傾式の背もたれ１６を含む椅子を示す。図示の例において、基部構造体１２は、長尺部材およびそれを横断するように延びる横断部材（図示しない）によって相互に連結される２本の前脚１８および２本の後脚２０を含む。本発明はこのタイプの基部構造体を備えた椅子に制限されるものではない。本発明は、垂直軸線を中心として回転可能で且つ座部と背もたれとを支持する上側部材を基部構造体が備えるオフィスチェアに使用されてもよい。図示の例において、座部１４は、基部構造体１２の長尺部材および横断部材に固定されるプラスチック材料製の成形部材によって形成される。座部１４のこの構成も必須的なものではなく、多数の変形がなされてもよい。
【００１２】
背もたれ１６は、支持面２２と、２つの側部直立部２４とを含む。図示の実施形態において、背もたれ１６の支持面２２および側部直立部２４は、射出成形されたプラスチック材料の一体品として形成される。しかしながら、他の多くの例が本発明の範囲内において可能である。
【００１３】
背もたれ１６は、２つの側部ジョイント２６によって基部構造体１２に連結され、この２つの側部ジョイント２６により、背もたれ１６は、図２に実線にて示す休止位置と、図２に破線にて示す後方傾斜位置との間を移動自在である。背もたれ１６は、使用者の背中によって付与される押圧の下で、休止位置から後方傾斜位置へ移動する。傾斜位置から休止位置への復帰は、後述するように、側部ジョイント２６内に組み込まれた弾性手段によって行われる。
【００１４】
図３乃至６に、側部ジョイント２６がそれぞれ、伸縮自在に（テレスコピック状に）連結される第１の湾曲部材２８および第２の湾曲部材３０を含むことを示す。２つの湾曲部材２８および３０は、曲率半径Ｒを有する円弧の形状の共通の長手軸線Ａを有する。曲率半径Ｒの中心Ｃは、背もたれ１６の揺動の中心をなす。
【００１５】
第１の湾曲部材２８には、一端に取り付け部分３１が設けられ、この取り付け部分３１により、第１の湾曲部材２８は、基部構造体１２に固定される。第２の湾曲部材３０は、背もたれ１６の対応する側部直立部２４の下端に固定される。２つの湾曲部材２８および３０同士の伸縮自在な連結により、第２の湾曲部材３０は、共通の湾曲した長手軸線Ａに沿って湾曲した経路上を、第１の湾曲部材２８に対して移動可能である。
【００１６】
図２に、側部ジョイント２６の回動の中心Ｃが、使用者の骨盤に略一致するように位置決めされることを示す。したがって、後方への傾動時における背もたれ１６の回動の中心は、使用者の背中の回動の中心と略一致する。
【００１７】
この特性により、背もたれの後方への傾動が、背もたれ１６の支持面２２と使用者の背中との間の相対移動を殆ど伴うことなく生じる。これにより、先行技術による可傾式の背もたれのいくつかの解決策に生じる、衣服がズボンから引き出されるという現象が回避される。
【００１８】
構造的な視点から見て、側部ジョイント２６は様々な方法により実現される。第１の解決策は、２つの湾曲部材２８と３０との間の回動運動を意図する。図６および図７に、第１の湾曲部材２８が、湾曲した長手軸線Ａに直交するそれぞれの軸線を中心として回転自在に取り付けられる一対の車輪３２を支持することを示す。図３、図４、および図５に示すように、第２の湾曲部材３０は、車輪３２の径と略等しい内径を有する管形状を有する。したがって、第２の湾曲部材３０は、車輪３２と第２の湾曲部材３０の内側面との間のころがり接触により、図３に示す位置と図４に示す位置との間を移動自在である。
【００１９】
特に単純な構造的な解決策は、図６および図７に示されるような２つの湾曲した金属バー３４間に車輪３２を配置することを意図する。金属バー３４には、スタッド３６が設けられ、また、両金属バー３４は、対応するスタッド３６においてリベット３８によって相互に固定される。車輪３２は、金属バー３４の穴４２内にその端部が挿入されるピン４０を中心として回転自在に取り付けられる。スタッド３６は、スペーサとして機能し、車輪３２を収容するための空間を両金属バー３４の間に形成する。２つの隣接するスタッド３６間に溝４４が形成され、第２の湾曲部材３０に固定されるピン４６がこの溝４４内に挿入される。ピン４６および溝４４は、第１の湾曲部材２８に対する第２の湾曲部材３０の移動極限位置を規定する制限手段（或いは、終端停止手段）を形成する。
【００２０】
図３乃至図５に、ジョイント２６がそれぞれ、背もたれ１６をその休止位置に押圧付勢する弾性部材を備えることを示す。図示の例において、弾性部材は、第１の湾曲部材２８の一端と、第２の湾曲部材３０内に固定される当接部５０との間に配置される螺旋状の圧縮バネ４８によって構成される。図３および図４を比較することにより明らかなように、弾性部材４８は、第２の湾曲部材３０が休止位置から最大後方傾斜位置へ移動する際に圧縮される。使用者の背中によって付与される後方への押圧が止まると、弾性部材４８は、蓄積された弾性エネルギーによって、図３に示す休止位置に第２の湾曲部材３０を復帰させる。
【００２１】
図８、図９、および図１０は、ジョイント２６の変更例を示す。この例において、第１の湾曲部材２８と第２の湾曲部材３０との間の相対移動は、摺動により生じる。特に、第２の湾曲部材３０の内部壁は、第１の湾曲部材２８の外側面の一部に摺動するように連結される。相互に接触する摩擦面に、テフロン（登録商標）等の低摩擦係数を有する材料を適用してもよい。
【００２２】
この変更例において、第１の湾曲部材２８は、車輪３２のための空間を形成する必要がないため、中実の金属部材から形成されてもよい。制限手段のピン４６は、第１の湾曲部材２８の表面に機械加工ツールにより形成される溝４４と係合する。
【００２３】
図１１および図１２は、本発明の第２の実施形態による椅子を示す。上述した部材に対応する部材は、同じ参照符号にて示される。
この第２の実施形態においては、単一のジョイント２６が、中央の位置に配置される。上述した実施形態と同様に、ジョイント２６は、伸縮自在（テレスコピック状）に連結される円弧状の第１の湾曲部材２８および第２の湾曲部材３０を含む。湾曲部材２８および３０は、横断方向に延びる。第１の湾曲部材２８は、座部１４の下部に固定される。第２の湾曲部材３０は、背もたれ１６の下端に固定されるか一体的に形成される。さらにこの場合において、上述したように、ジョイント２６には、制限手段および弾性部材を設けることができる。この場合、同様に、２つの湾曲部材２８および３０の間の相対移動は、ころがり接触や摺動により生じる。
【００２４】
図１３乃至図１７に、本発明の第３の実施形態における椅子を示す。上述した部材に対応する部材は、同じ参照符号を使用して示される。
図１に示す椅子の例と同様に、図１３の椅子１０は、基部構造体１２、座部１４、および可傾式の背もたれ１６を含む。図１４乃至図１７に示すように、基部構造体１２は、２つの側部部材５２を備え、これらの側部部材５２それぞれから前脚１８および後脚２０が延びる。脚１８および２０、並びに椅子の各側部の側部部材５２は、単一の湾曲した管状部材から好適に形成される。２つの側部部材５２は、２つの横断部材５４および５６によって一体的に固定される。
【００２５】
背もたれ１６は、支持面２２と、管状形態の２つの側部直立部２４とを含む。好適に、背もたれ１６の支持面２２および側部直立部２４は、射出成形されたプラスチック材料製の単一部材によって形成される。背もたれ１６の側部直立部２４は、対応する揺動ジョイント２６によって基部構造体１２に連結される。図１４乃至図１７に、揺動ジョイント２６がそれぞれ、伸縮自在に連結される内側湾曲部材２８および外側湾曲部材３０を含むことを示す。上述した実施形態と同様に、２つの湾曲部材２８および３０は、円弧の形状の共通の長手軸線Ａを有する。２つの揺動ジョイント２６の円弧の中心Ａは、背もたれ１６の傾動軸線を形成する水平軸線上に位置する。
【００２６】
図１６および図１７に、各揺動ジョイント２６の内側湾曲部材２８が、円弧部６０と、基部構造体１２の対応する側部部材５２に固定される締結部６２とを有する湾曲金属バー５８を含むことを示す。締結部６２は、略Ｌ字状に屈曲される一端６４を有する。
【００２７】
内側湾曲部材２８はそれぞれ、湾曲金属バー５８の円弧部６０を覆うプラスチック材料製の弧状のスリーブ６６をさらに含む。図１６において視認されるように、弧状のスリーブ６６は、一体的に連結される２つの弧状のシェル６８によって好適に形成される。スリーブ６６は、断面円形状のガイド外側面を有する。
【００２８】
図１４および図１５に、外側湾曲部材３０がそれぞれ、締結部７０、動締結部７０の下端から延びる直線的な管状部７２、および直線的な管状部７２の下端から延びる弧状の管状部７４を含むことを示す。外側湾曲部材３０の締結部７０は、背もたれ１６の対応する側部直立部２４内に挿入され固定される。外側湾曲部材３０のそれぞれの弧状の管状部７４は、対応する弧状のスリーブ６６の外側面に摺動して案内されるように連結される断面円形状の内側面を有する。
【００２９】
図１５に、外側湾曲部材３０の直線的な管状部７２内に、螺旋状の圧縮バネ４８が収容されることを示す。バネ４８は、直線的な管状部７２に挿入されるバネ支持部７６が挿入される上端を有する。バネ４８の下端は、内側湾曲部材２８の上端に対して載置される。好適に、バネ４８は、弧状のスリーブ６６の上側の前側端部に対して載置され、スリーブ６６の前側端部を超えて突出する湾曲バー５８の一端は、バネ４８内に挿入される。
【００３０】
図１４に、背もたれ１６の休止位置において、バネ４８がわずかに圧縮される位置に外側湾曲部材３０を保持する予負荷部材７８が各ジョイント２６に好適に設けられることを示す。予負荷部材７８は、内側湾曲部材２８に対して関節接合される第１の端部を有する。好適に、この関節接合は、湾曲バー５８のＬ字状に屈曲した端部６４を、予負荷部材７８の穴に回転可能に係合することによってなされる。予負荷部材７８は、その第２の端部に、外側湾曲部材３０の外側突出部８２が係合するスロット８０を有する。予負荷部材は、終端停止手段としても機能する。実際、背もたれの最大後方傾斜位置において、突出部８２はスロット８０の前側端部に配置されて、背もたれのさらなる後方への傾動を防止する。
【００３１】
通常、発明の原理を失うことなく、構造体の詳細および実施形態は、添付の請求の範囲によって定義される本発明の趣旨を逸脱しない限り上述した例示に対して広く変更可能である。
【図１】
0005865170.tif 000002
【図２】
0005865170.tif 000003
【図３】
0005865170.tif 000004
【図４】
0005865170.tif 000005
【図５】
0005865170.tif 000006
【図６】
0005865170.tif 000007
【図７】
0005865170.tif 000008
【図８】
0005865170.tif 000009
【図９】
0005865170.tif 000010
【図１０】
0005865170.tif 000011
【図１１】
0005865170.tif 000012
【図１２】
0005865170.tif 000013
【図１３】
0005865170.tif 000014
【図１４】
0005865170.tif 000015
【図１５】
0005865170.tif 000016
【図１６】
0005865170.tif 000017
【図１７】
0005865170.tif 000018